(57)【特許請求の範囲】
【請求項１】
ハンドルの回転にて目盛りテープをケースに巻き取るドラムを備えた巻き尺であって、
この巻き尺は、目盛りテープの巻き取り終端域におけるテープへの負荷を軽減する緩衝部材を備え、
該緩衝部材が、ケースの内部で揺動可能に支持される緩衝フレームと、この緩衝フレームの揺動に際して該緩衝フレームを初期位置に復原する引張りコイルスプリングまたは渦巻きばねと、テーププロテクターを有しテープの巻取りの際の衝撃を吸収するテープ導入用のスプリングからなる、ことを特徴とする巻き尺。
【請求項２】
目盛りテープの巻き取り終端域には、巻き取り巻戻しの際の表面損傷を防止するテープ被覆層を有する、請求項１記載の巻き尺。
【請求項３】
目盛りテープを巻き取るドラムはその内部に複数の歯車を備えたものであり、ドラム本体に泥水や埃の内部への侵入を防止するシール部材を有する請求項１記載の巻き尺。
【発明の詳細な説明】
【０００１】
【産業上の利用分野】
この発明は主に建築、土木の分野において使用される巻き尺に関し、とくに巻き尺の使用後において目盛りテープをドラムに巻き取る際の巻き取り終端域のバタツキに起因したテープの破損、あるいは目盛りテープを巻き取るドラム内への泥水や埃の侵入を効果的に防止しようとするものである。
【０００２】
【従来の技術】
建築や土木の分野で使用される巻き尺は、登録実用新案第３０１４７８３号公報や実公平４−２４２号公報に見られるように、ケース内にハンドルを有するドラムを組み込みこのドラムに目盛りテープを巻き付けた構造になっているのが一般的であって、目盛りテープによる測定が必要な場合にはドラムより巻戻し、使用を終えた後においては該ドラムを回転させてその周りに巻き取るようにしていたが、使用後における目盛りテープの巻き取り時には比較的早いスピードでケース内に引き込まれることから以下に述べるように目盛りテープの巻き取り終端域（目盛りテープの先端部）が損傷し長期使用に耐えないところに問題を残していた。
【０００３】
【発明が解決しようとする課題】
すなわち、この種の巻き尺はドラム内に遊星歯車が組み込まれており、巻き戻した目盛りテープを比較的短時間で収納するために引き込み速度が速く目盛りテープが巻き尺のケースに向かって勢いよく地面を這い該テープの取り端が地面から離れケースの引き込み口に至るまでの長さ（７０〜８０cm程度）になった段階では引き込みの際の余勢で目盛りテープがばたつきケースの周辺あるいはケースの引き込み口に捻じれた状態で強く接触し目盛りテープが波形に変形したり折れ曲がったりすることがあることに加え、目盛りテープの表面に傷が発生し該テープによる計測が実施できない状況にあった。さらに、従来の巻き尺は目盛りテープの引き込みに際して該テープの巻き取り端が引き込み口に強く当たるのでテープがその長手方向に引き延ばされるために目盛りの間隔がずれ計測精度にも問題があった。
【０００４】
この発明の目的は、使用後において迅速に巻き取った場合においても目盛りテープにダメージを与えることのない長期使用に耐え得る巻き尺を提案するところにある。
【０００５】
【課題を解決するための手段】
この発明はハンドルの回転にて目盛りテープを巻き取るドラムを備えた巻き尺であって、この巻き尺は、目盛りテープの巻き取り終端域におけるテープへの負荷を軽減する緩衝部材を備え、該緩衝部材が、ケースの内部で揺動可能に支持される緩衝フレームと、この緩衝フレームの揺動に際して該緩衝フレームを初期位置に復原する引張りコイルスプリングまたは渦巻きばねと、テーププロテクターを有しテープの巻取りの際の衝撃を吸収するテープ導入用のスプリングからなる、ことを特徴とする巻き尺である。
【０００６】
目盛りテープの巻き取り終端域には、巻き取り巻戻しの際のケースや地面との接触あるいはテープの目盛りの捩じれによる損傷を防止するテープ被覆層を配置する。さらに、この発明においては目盛りテープを巻き取るドラムはその内部に複数の歯車を備えたものであり、ドラム本体に泥水や埃の内部への侵入を防止するシール部材を設ける。
【０００７】
【発明の実施の形態】
この発明においては、巻き尺のケース本体に衝撃緩和用の緩衝部材を設けたので、目盛りテープを引き込む際の余勢を軽減することができ、該目盛りテープに傷が発生したりテープにかかる張力によって目盛りの間隔が変動するようなこともなく、長期にわたって正確な計測を行うことができる。
【０００８】
また、この発明においては目盛りテープのとくに巻き取り終端域にテープの表裏を取り囲むテープ被覆層を配置したので巻き取り巻戻しの際のケース本体への衝突や地面における接触による表面傷の発生あるいはそれに起因した損傷を防止することができる。
【０００９】
目盛りテープを巻き取るドラムはその内部に遊星歯車や太陽歯車、内歯車が組み込まれていて、組み立て部材のすき間からの泥水の侵入や埃の侵入により作動不良を起こす原因にもなっていたが、この発明においてはドラムの組み立て部材の併せ面にシール部材例えばシートパッキンやオーリング等を配置するようにしたので高い密閉性が保たれ泥水や埃に起因した作動不良を起こすようなことはない。
【００１０】
【実施例】
図１〜図３はこの発明に従う巻き尺の構成を示したものである。この巻き尺において番号１は巻き尺のケース、２は巻き取り端 (先端部) にストラップｓを有する目盛りテープ、３はドラムであって、このドラム３は外周に目盛りテープ２を巻き付ける円形フレーム３ａと内歯車３ｂとこの内歯車３ｂ内でハンドルｈの回転とともに回転する太陽歯車３ｃとこの太陽歯車３ｃとかみ合う遊星歯車３ｄと内歯車３ｂの側面に合致し、太陽歯車３ｃ及び遊星歯車３ｄを回転可能の保持するワインダー３ｅからなり、この太陽歯車３ｃと内歯車３ｂの接合面の間にはドラム内部への泥水や埃の侵入を防止するシール部材としてＯリング３ｆが配置される。
【００１１】
また、４は緩衝部材であって、この緩衝部材４はケース１の内部に設けた小突起（ダボ）４ａを支点にして揺動可能な緩衝フレーム４ｂとこの緩衝フレーム４ｂ及びケース１の内壁面にそれぞれ係合し該フレーム４ｂの揺動に際して該フレームを初期位置に復原するスプリング４ｃとテーププロテクター（引手クッション）ｐを有するテープ導入用のスプリング４ｄからなる。５はケースクッションである。
【００１２】
上記の巻き尺を使用して計測を実施するに際しては目盛りテープ２のストラップｓを引いてテープを所定の長さだけ引出すことになるが、この際、目盛りテープ２は緩衝フレーム４ｂの開口部ｆを通って繰り出される。このとき、該フレーム４ｂの位置は変動することはない。
【００１３】
目盛りテープ２の巻き取りに際してはハンドルｈを用いドラム３を回転させることによって目盛りテープ２を巻き取る。目盛りテープ２の巻き取り端に設けたストラップｓがテーププロテクターｐに接触するとその際の衝撃はまずスプリング４ｄによって弱められ、さらにフレーム４ｂが図１の仮想線に示す如く揺動して巻き取りの際のテープにかかる負荷（衝撃）を吸収する。フレーム４ｂとケース１との間にはスプリング４ｃにて係合してあるのでフレーム４がテープ２の巻戻しに際して揺動しても迅速に初期位置に復原することになる。
【００１４】
図４はフレーム４ｂに渦巻きばね６を配置した例を示したものである。この例においても目盛りテープ２の巻き取りに際してはその巻き取り端に設けたストラップｓがテーププロテクターｐに接触することによってその際の衝撃を軽減し、さらにフレーム４ｂが揺動して巻き取り最終端の収納時における衝撃を軽減する。
【００１５】
図５はドラム３の内部の構成を分解した状態で示したものである。この発明においては、円形フレーム３ａと内歯車３ｂとの合わせ面にＯリング３gを、また、内歯車３ｂとワインダー３ｅとの間にＯリング３ｆを配置してあるので密閉性が高められ歯車を配置してあるドラム内部への泥水や埃の侵入はなく長期の使用においても作動不良を起こすようなことはない。
【００１６】
目盛りテープ２の巻き取り端から７０〜８０cm程度の領域は、作業者が立位で自然に腕を下げた状態で巻き尺を保持した場合における地面から巻き尺の下端に至るまでの距離にほぼ相当するもので、とくに、巻き取り時にテープがばたついたり捩じれが生じやすい領域になる。
この発明においてはテープの損傷が激しいこの領域、すなわち目盛りテープ２の巻き取り端から７０〜８０cm程度の範囲に、目盛りテープ２と同等の幅を有する厚さが０．１〜０．１５mm程度になる炭素工具鋼（例えばＳＫ５等）からなる補強材をテープの裏面に重ね合わせ、これらをリベットあるいは接着剤で一体に固着したのち、テープ２の表面を保護するテープ被覆層を巻き取り端から約１００cmの範囲において設けておく。テープ被覆層としては目盛りテープの周りを取り囲むチューブ式のものを配置しこれを熱処理することによってテープの周りにすき間なく密着するような低温収縮性を有する熱収縮チューブ、例えばエチレンプロピレンゴム、ニトリルブタジエンゴム等からなるチューブを適用することができる。
【００１７】
【発明の効果】
この発明によれば、巻き尺の目盛りテープの巻き取りに際して該テープの捩じれや変形を防止できるだけでなく巻き取り最終端がケースに収納される際の衝撃を極めて小さくできる。また、目盛りテープの巻き取り終端域には熱収縮性のテープ被覆層を設けたので地面との摩擦あるいはケース本体との接触によってテープの表面が損傷するようなことはない。さらに、複数の歯車を組み込んだ目盛りテープ巻き取り用のドラムにおいては気密性を高めたので外部からの泥や砂あるいは埃などが侵入することがないので長期間にわたって安定した計測ができる。
【図面の簡単な説明】
【図１】この発明に従う巻き尺の構成説明図である。
【図２】この発明に従う巻き尺の構成説明図（図１の側面図）である。
【図３】この発明に従う巻き尺の構成説明図（図１の底面図）である。
【図４】この発明に従う巻き尺の他の例を示した図である。
【図５】この発明に従う巻き尺のドラムの内部構造の分解状況を示した図である。
【符号の説明】
１  ケース
２  目盛りテープ
３  ドラム
４  緩衝部材
５  ケースクッション
６  渦巻きばね
ｓ  ストラップ
ｐ  テーププロテクター
【図１】
0003966991.tif 000002
【図２】
0003966991.tif 000003
【図３】
0003966991.tif 000004
【図４】
0003966991.tif 000005
【図５】
0003966991.tif 000006